(57)【特許請求の範囲】
【請求項１】
平面状の記録面に、複数並ぶことにより情報記録領域を隙間なく埋める形状をもつ桝目を仮想的に設定し、上記各枡目に０又は１を表す光学的に認識可能な第１又は第２のマークをそれぞれ付与して、記録すべきデジタル情報を上記第１及び第２のマークからなる２次元パターンとして記録するデジタル情報記録方法であって、
上記記録面内での位置を示すように、特定の形状に連結した複数の枡目に０又は１を所定のパターンで割り当ててなる位置情報パターンを設定する一方、
記録すべきデジタル情報に対応して上記情報記録領域の各枡目に０又は１を割り当ててなる第１次パターンを設定し、
上記第１次パターンの特定の位置に、上記位置情報パターンを枡目単位で対応させて重ね、
上記第１次パターンのうち上記位置情報パターンの一方の値をとる枡目と重なる位置の枡目に、上記第１次パターンのその位置の枡目がとる値に応じて、上記第１及び第２のマークと異なる第３又は第４のマークを付与する一方、上記第１次パターンのうち残りの枡目に、上記第１次パターンのその位置の枡目がとる値に応じて、上記第１又は第２のマークをそのまま付与してなる第２次パターンを作成し、
この第２次パターンを上記情報記録領域に表現することを特徴とするデジタル情報記録方法。
【請求項２】
請求項１に記載のデジタル情報記録方法において、
上記第３及び第４のマークとして、上記第１及び第２のマークに対して色が異なるマークを採用することを特徴とするデジタル情報記録方法。
【請求項３】
請求項１に記載のデジタル情報記録方法において、
上記第３及び第４のマークを、上記第１又は第２のマークに対して、可視光領域では透明で、かつ赤外線又は紫外線と作用する性質を持つインク層を重ねて形成することを特徴とするデジタル情報記録方法。
【請求項４】
請求項１乃至３のいずれか一つに記載のデジタル情報記録方法によって記録面に記録されたデジタル情報を解読するためのデジタル情報解読装置であって、
上記記録面に表現された上記第２次パターンを光学的に読み取って画像情報として出力する読取手段と、
上記読取手段が出力した画像情報から上記第３及び第４のマークを検出して、上記位置情報パターンの位置と、上記第３及び第４のマークの位置の上記第１次パターンにおける枡目の値とを求めるとともに、上記位置情報パターンの位置を参照しつつ上記読取手段が出力した画像情報から上記第１及び第２のマークを検出して、上記第１及び第２のマークの位置の上記第１次パターンにおける枡目の値を求めて、元のデジタル情報を得る情報解読手段を備えたことを特徴とするデジタル情報解読装置。
【請求項５】
請求項４に記載のデジタル情報解読装置において、
上記読取手段は、
上記記録面へ向けて可視光を発する発光素子と、
上記記録面によって反射された可視光を検出する受光素子と、
上記第１及び第２のマークの色の光を透過させ、上記第３及び第４のマークの色の光を遮断する第１のフィルタと、
上記第１及び第３のマークの色の光を透過させ、上記第２及び第４のマークの色の光を遮断する第２のフィルタと、
上記記録面と上記受光素子との間に、上記第１のフィルタと第２のフィルタを切り替えて配置するフィルタ切替手段を備えたことを特徴とするデジタル情報解読装置。
【請求項６】
請求項４に記載のデジタル情報解読装置において、
上記読取手段は、
上記記録面へ向けて赤外光又は紫外光を発する第１の発光素子と、
上記記録面へ向けて可視光を発する第２の発光素子と、
上記記録面によって反射された可視光を検出する受光素子と、
上記第１の発光素子と第２の発光素子とを切り替えて動作させる発光素子切替手段を備えたことを特徴とするデジタル情報解読装置。
【請求項７】
請求項４に記載のデジタル情報解読装置において、
上記読取手段は、
上記記録面へ向けて赤外光又は紫外光を発する第１の発光素子と、
上記記録面へ向けて可視光を発する第２の発光素子と、
上記記録面によって反射された赤外光または紫外光を検出する第１の受光素子と、
上記記録面によって反射された可視光を検出する第２の受光素子と、
上記第１の発光素子と第２の発光素子とを切り替えて動作させる発光素子切替手段を備えたことを特徴とするデジタル情報解読装置。
【発明の詳細な説明】
【０００１】
【産業上の利用分野】
この発明は、平面状の記録面に、記録すべきデジタル情報を２次元パターンとして記録するデジタル情報記録方法に関する。また、そのようなデジタル情報記録方法によって記録されたデジタル情報を解読するのに適したデジタル情報解読装置に関する。
【０００２】
【従来の技術】
最近、紙などの平面状の記録面内に設けられた情報記録領域に、ビットに対応する行列状の桝目を仮想的に設定し、上記各桝目に０と１のデータを表す白または黒を付して、記録すべきデジタル情報を２次元パターンとして表現する記録方式が盛んに開発されている。
【０００３】
本出願人は先に、図７に示すように、記録面２０内に設けられた情報記録領域２３の内部に位置する枡目の読み取り誤差を少なくするために、情報記録領域２３の内部に、枡目の位置を示すための特定パターン２２を配置する方式を提案した（特願平６−３２５２７５号）。
【０００４】
すなわち、記録面２０内で、実際に情報が記録されている情報記録領域２３内には、本来の記録情報を表す領域２１の隙間に、特定の形状に連結した複数の枡目に特定のパターンで白黒を付してなる特定パターン２２が複数配置されている。この例では、矩形の情報記録領域２３内に、縦４×横３の合計１２個の特定パターン２２が縦横一定間隔（縦方向の間隔と横方向の間隔は同じであっても異なっていてもよい）で行列状に配置されている。図８によって良く分かるように、特定パターン２２の配列で最上段、最下段、左列、右列に属する１０個の特定パターン２２は情報記録領域２３の外周に沿って配置され、残りの２個の特定パターン２２は情報記録領域２３の外周から離間した内部（中央部近傍）に配置されている。
【０００５】
図９に示すように、この特定パターン２２は、黒が付された１個の枡目からなる中心部４１と、その周囲を環状に取り囲む白が付された８個の枡目からなる第１環状部４２と、さらにその周囲を環状に取り囲む黒が付された１６個の枡目からなる第２環状部４３とで構成されている。全体として５行×５列の合計２５個の枡目を含む正方形のブロックとなっている。
【０００６】
この特定パターン２２は、▲１▼情報記録領域２３の内部に埋没する形で配置されていても比較的見つけやすい、▲２▼特定パターン２２を構成する枡目の数が２５枡目と比較的小さい、▲３▼特定パターン２２の近傍に同じパターンが現れる場合であっても比較的遠い位置（縦または横に４枡目ずれた位置）にしか現れない（図１０参照）、▲４▼白枡目と黒枡目がバランスよく配置されているため汚れやにじみなどの影響を受けにくい、▲５▼読み取りアルゴリズムとして、中心部（黒）４１が第１環状部（白）に囲まれた閉領域を構成しており、かつ第１環状部（白）４２もまた第２環状部（黒）４３に囲まれた閉領域を構成しているという特徴を調べることによって簡単に見つけることができる、といった利点をもっている。
【０００７】
特定パターン２２を設けた情報記録領域２３に記録情報をマッピングする仕方は図１１に示すようなものである。図１１は、図７に示した情報記録領域２３の一部に相当する横３５×縦２０の枡目の部分２３Ａを示している。この情報記録領域２３Ａには、６個（横方向３個×縦方向２個）の特定パターン２２が、横１５枡目おき、かつ縦１５枡目おきに配置されている。情報記録領域２３Ａの枡目７００個のうち特定パターン２２に用いられる枡目の数は１５０個であり、残り５５０個の枡目２１が本来の記録情報を表すために用いられている。本来の記録情報を表す枡目２１にはアドレス番地１，２，…，５５０（簡単のため一部の番地のみ示す）が付されている。アドレス番地は、左上隅の特定パターン２２に接する第１行の左端の枡目から右へ向かって１番地から１０番地、さらに最上段中央の特定パターン２２を越えて１１番地から２０番地となっている。第２行〜第５行まで同様に番地付けがなされ、第５行の右端の特定パターンに接する枡目が１００番地となっている。第６行〜第１５行までは、各行左端の枡目から右へ向かって１ずつ番地が増加している。第１６行から第２０行までは、第１行〜第５行までと同様に、中央の特定パターン２２を越えて番地付けがなされている。このようにして、行の中央に特定パターン２２が配置されているときはその特定パターン２２を越えて番地付けがなされている。アドレス番地１の枡目に記録情報の１番目のビット情報が対応し、ビット情報の値が“１”の場合は黒、“０”の場合には白がその枡目に付される。以下同様に記録情報が記録され、この結果、情報記録領域２３Ａの５５０個の枡目２１に５５０ビットのデジタル情報がマッピングされ得る。
【０００８】
図７のように情報記録領域２３内に特定パターン２２を配置した形式のデジタル記録情報は、以下のようにして読み取ることができる。
【０００９】
まず、特定パターン２２が格子状に配置されているという配置情報をもとに、特定パターン２２の位置情報を得る。
【００１０】
次に、図１２に示すように、情報記録領域２３のうち隣り合う４個の特定パターン２２を含む領域（Ｍ行Ｎ列の枡目を含む領域）毎に、本来の記録情報を表す枡目２１の値を得る。
【００１１】
詳しくは、左上（０行０列目）の特定パターン２２の位置をＰ００、右上（０行Ｎ列目）の特定パターン２２の位置をＰ０Ｎ、左下（Ｍ行０列目）の特定パターン２２の位置をＰＭ０、右下（Ｍ行Ｎ列目）の特定パターン２２の位置をＰＭＮとし、これら４個の特定パターン２２に囲まれた領域内のｍ行ｎ列目（ｍ，ｎは任意の整数）の枡目の位置をＰｍｎとする。
【００１２】
Ｐ００とＰ０Ｎとをｎ：（Ｎ−ｎ）に内分した点をＰ０ｎ、ＰＭ０とＰＭＮとをｎ：（Ｎ−ｎ）に内分した点をＰＭｎ、Ｐ００とＰＭ０とをｍ：（Ｍ−ｍ）に内分した点をＰｍ０、Ｐ０ＮとＰＭＮとをｍ：（Ｍ−ｍ）に内分した点をＰｍＮとすると、求める枡目Ｐｍｎの位置は、Ｐ０ｎとＰＭｎとを結ぶ直線Ｌ１と、Ｐｍ０とＰｍＮとを結ぶ直線Ｌ２との交点として表される。直線Ｌ１と直線Ｌ２との交点Ｐｍｎは、直線Ｌ１をｍ：（Ｍ−ｍ）に内部した点または直線Ｌ２をｎ：（Ｎ−ｎ）に内分した点としても表される。上記４個の特定パターン２２の位置Ｐ００，Ｐ０Ｎ，ＰＭ０，ＰＭＮを用いて、これら４個の特定パターン２２に囲まれた領域内の枡目の位置Ｐｍｎを表すと、
【数１】
0003623012.tif 000002
となる。このようにして各枡目の位置Ｐｍｎを求め、この位置Ｐｍｎの値を調べることにより、各枡目の値を知ることができる。
【００１３】
記録面２０全体に対して不均一な歪みが生じた場合であっても、このように隣接する４個の特定パターンに囲まれた小さな領域に対して生じる歪みはほぼ比例的な歪みに近似される。したがって、この方式によれば、記録面２０に多少歪みがあったとしても、デジタル情報を正確に読み取ることができる。
【００１４】
【発明が解決しようとする課題】
しかしながら、この方式では、情報記録領域２３内で、本来の記録情報を表す領域２１の隙間に特定パターン２２を配置しているため、記録し得る情報量が特定パターン２２の分だけ減少するという問題がある。図１１を例にとれば、本来の記録情報を表す枡目として、６〜１５行目では１行当たり３５桝目を使用できるが、１〜５行目および１６〜２０行目には特定パターン２２が配置されているため１行当たり２０桝目しか使用できない。また、このように特定パターン２２を避けて変則的に本来の情報が記録されているため、読み取り時に行ごとに処理を変えなければならない上、行列を利用した誤り訂正方式やインターリーブ方式を適用しにくいという不便さがある。
【００１５】
そこで、この発明の目的は、情報記録領域の内部に、枡目の位置を示すための特定パターンを配置する場合に、記録し得る情報量を減少させることなく、また読み取り時の不便さを解消できるデジタル情報記録方法を提供することにある。また、そのようなデジタル情報記録方法によって記録されたデジタル情報を解読するのに適したデジタル情報解読装置を提供することにある。
【００１６】
【課題を解決するための手段】
上述の目的を達成するため、請求項１に記載のデジタル情報記録方法は、平面状の記録面に、複数並ぶことにより情報記録領域を隙間なく埋める形状をもつ桝目を仮想的に設定し、上記各枡目に０又は１を表す光学的に認識可能な第１又は第２のマークをそれぞれ付与して、記録すべきデジタル情報を上記第１及び第２のマークからなる２次元パターンとして記録するデジタル情報記録方法であって、上記記録面内での位置を示すように、特定の形状に連結した複数の枡目に０又は１を所定のパターンで割り当ててなる位置情報パターンを設定する一方、
記録すべきデジタル情報に対応して上記情報記録領域の各枡目に０又は１を割り当ててなる第１次パターンを設定し、上記第１次パターンの特定の位置に、上記位置情報パターンを枡目単位で対応させて重ね、上記第１次パターンのうち上記位置情報パターンの一方の値をとる枡目と重なる位置の枡目に、上記第１次パターンのその位置の枡目がとる値に応じて、上記第１及び第２のマークと異なる第３又は第４のマークを付与する一方、上記第１次パターンのうち残りの枡目に、上記第１次パターンのその位置の枡目がとる値に応じて、上記第１又は第２のマークをそのまま付与してなる第２次パターンを作成し、この第２次パターンを上記情報記録領域に表現することを特徴としている。
【００１７】
また、請求項２に記載のデジタル情報記録方法は、請求項１に記載のデジタル情報記録方法において、上記第３及び第４のマークとして、上記第１及び第２のマークに対して色が異なるマークを採用することを特徴としている。
【００１８】
また、請求項３に記載のデジタル情報記録方法は、請求項１に記載のデジタル情報記録方法において、上記第３及び第４のマークを、上記第１又は第２のマークに対して、可視光領域では透明で、かつ赤外線又は紫外線と作用する性質を持つインク層を重ねて形成することを特徴としている。
【００１９】
なお、「赤外線又は紫外線と作用する」とは、赤外線若しくは紫外線を吸収し、反射し、又は赤外線若しくは紫外線によって励起されて蛍光を発することをいう。
【００２０】
請求項４に記載のデジタル情報解読装置は、請求項１乃至３のいずれか一つに記載のデジタル情報記録方法によって記録面に記録されたデジタル情報を解読するためのデジタル情報解読装置であって、上記記録面に表現された上記第２次パターンを光学的に読み取って画像情報として出力する読取手段と、上記読取手段が出力した画像情報から上記第３及び第４のマークを検出して、上記位置情報パターンの位置と、上記第３及び第４のマークの位置の上記第１次パターンにおける枡目の値とを求めるとともに、上記位置情報パターンの位置を参照しつつ上記読取手段が出力した画像情報から上記第１及び第２のマークを検出して、上記第１及び第２のマークの位置の上記第１次パターンにおける枡目の値を求めて、元のデジタル情報を得る情報解読手段を備えたことを特徴としている。
【００２１】
また、請求項５に記載のデジタル情報解読装置は、請求項４に記載のデジタル情報解読装置において、上記読取手段は、上記記録面へ向けて可視光を発する発光素子と、上記記録面によって反射された可視光を検出する受光素子と、上記第１及び第２のマークの色の光を透過させ、上記第３及び第４のマークの色の光を遮断する第１のフィルタと、上記第１及び第３のマークの色の光を透過させ、上記第２及び第４のマークの色の光を遮断する第２のフィルタと、上記記録面と上記受光素子との間に、上記第１のフィルタと第２のフィルタを切り替えて配置するフィルタ切替手段を備えたことを特徴としている。
【００２２】
また、請求項６に記載のデジタル情報解読装置は、請求項４に記載のデジタル情報解読装置において、上記読取手段は、上記記録面へ向けて赤外光又は紫外光を発する第１の発光素子と、上記記録面へ向けて可視光を発する第２の発光素子と、上記記録面によって反射された可視光を検出する受光素子と、上記第１の発光素子と第２の発光素子とを切り替えて動作させる発光素子切替手段を備えたことを特徴としている。
【００２３】
また、請求項７に記載のデジタル情報解読装置は、請求項４に記載のデジタル情報解読装置において、上記読取手段は、上記記録面へ向けて赤外光又は紫外光を発する第１の発光素子と、上記記録面へ向けて可視光を発する第２の発光素子と、上記記録面によって反射された赤外光または紫外光を検出する第１の受光素子と、上記記録面によって反射された可視光を検出する第２の受光素子と、上記第１の発光素子と第２の発光素子とを切り替えて動作させる発光素子切替手段を備えたことを特徴としている。
【００２４】
【作用】
請求項１のデジタル情報記録方法では、記録すべきデジタル情報に対応して情報記録領域の各枡目に０又は１を割り当ててなる第１次パターンを設定し、この第１次パターンの特定の位置に、位置情報パターンを枡目単位で対応させて重ねている。そして、上記第１次パターンのうち上記位置情報パターンの一方の値をとる枡目と重なる位置の枡目に、上記第１次パターンのその位置の枡目がとる値に応じて、第３又は第４のマークを付与している。これにより、上記重なる位置の枡目が、第１又は第２のマーク（第３及び第４のマークと異なる）が付与される他の位置の枡目と区別されるようにしている。
【００２５】
このようにした場合、本来記録すべきデジタル情報を、情報記録領域の全域にわたって記録することができる。したがって、記録し得る情報量が減少することがない。また、本出願人が先に提案した方式（特願平６−３２５２７５号）における読み取り時の不便さが解消される。すなわち、情報記録領域を単純な矩形状に設定し、例えば行単位で左から右、上の行から下の行へ順にマッピングを行って第１次パターンを設定することによって、読み取り時に情報記録領域の行ごとに同じ読取処理を行うことが可能となる。また、行列を利用した誤り訂正方式やインターリーブ方式を適用し易くなる。
【００２６】
請求項２のデジタル情報記録方法では、上記第３及び第４のマークとして、上記第１及び第２のマークに対して色が異なるマークを採用している。したがって、読み取り時に、カラーフィルタを用いて上記第３及び第４のマークと上記第１及び第２のマークとを別々に検出することが可能となる。そのようにした場合、上記第３及び第４のマークを検出したとき、上記位置情報パターンの位置と、上記第１次パターンのうち上記第３及び第４のマークの位置の枡目の値とを求めることができる。また、上記第１及び第２のマークを検出したとき、上記位置情報パターンの位置を参照して上記第１次パターンのうち上記第１及び第２のマークの位置の枡目の値を求めることができる。これにより元のデジタル情報が容易に得られる。
【００２７】
さらに、第１乃至第４のマークの色とカラーフィルタとを適切に選択することにより、２種類のカラーフィルタを用いて位置情報パターンと第１次パターンとを別々に読み出すことが可能となる。例えば、１つのカラーフィルタは第１のマークの色及び第２のマークの色を透過するが第３のマークの色及び第４のマークの色を遮断し、別のカラーフィルタは第１のマークの色及び第３のマークの色を透過するが第２のマークの色及び第４のマークの色を遮断するとすれば、前者のカラーフィルタにより位置情報パターンを決め、後者のカラーフィルタにより第１次パターンを読み取ることが可能となる。
【００２８】
また、重ねて印刷を行うによって、第１乃至第４のマークを区別することができるならば、第１次パターンの印刷と位置情報パターンの印刷とを別々に行うことができる。すなわち、第１のマークは何らの印刷も行われていないことによって、第２のマークは第１次パターンの印刷のみが行われていることによって、第３のマークは位置情報パターンの印刷のみが行われていることによって、第４のマークは第１次パターンの印刷と位置情報パターンの印刷とが重ねて行われていることによって、それぞれ表現される。このように印刷を別々に行うことができることにより印刷の自由度が増す。
【００２９】
請求項３のデジタル情報記録方法では、上記第３及び第４のマークを、上記第１又は第２のマークに対して、可視光領域では透明で、かつ赤外線又は紫外線と作用する性質を持つインク層を重ねて形成する。したがって、読み取り時に、赤外線又は紫外線を用いて上記第３及び第４のマークと第１及び第２のマークとを区別する一方、可視光を用いて上記第１及び第３のマークと第２及び第４のマークとを区別することが可能となる。そのようにした場合、赤外線または紫外線を用いて位置情報パターンを求め、可視光を用いて第１次パターンを読み取ることが可能となり、位置情報パターンと第１次パターンとを別々に読み出すことが可能となる。これにより元のデジタル情報が容易に得られる。
【００３０】
また、重ねて印刷を行うによって、第１乃至第４のマークを区別することができるならば、第１次パターンの印刷と位置情報パターンの印刷とを別々に行うことができる。すなわち、第１のマークは何らの印刷も行われていないことによって、第２のマークは第１次パターンの印刷のみが行われていることによって、第３のマークは位置情報パターンの印刷のみが行われていることによって、第４のマークは第１次パターンの印刷と位置情報パターンの印刷とが重ねて行われていることによって、それぞれ表現される。このように印刷を別々に行うことができることにより印刷の自由度が増す。
【００３１】
さらに、赤外線又は紫外線を発光、受光する機能を有しない読取手段を用いる場合であっても、情報記録領域内の各枡目の位置決めさえ正確に行うことができるならば、可視光を用いて情報記録領域の全域にわたって第１及び第３のマークと第２及び第４のマークを区別することによって、元のデジタル情報が得られる。
【００３２】
なお、位置情報パターンが可視光領域で透明でない場合は、位置情報パターンが第１次パターンに対して干渉するため、可視光によって第３のマークと第４のマークとを区別することは困難となる。
【００３３】
請求項４のデジタル情報解読装置では、まず、読取手段が、記録面に表現された第２次パターンを光学的に読み取って画像情報として出力する。この場合、第１、第２、第３および第４のマークは、明暗レベルや色などで区別されていれば良い。次に、情報解読手段が、上記読取手段が出力した画像情報から第３及び第４のマークを検出して、上記位置情報パターンの位置と、上記第３及び第４のマークの位置の上記第１次パターンにおける枡目の値とを求める。さらに情報解読手段は、上記位置情報パターンの位置を参照しつつ上記読取手段が出力した画像情報から上記第１及び第２のマークを検出して、上記第１及び第２のマークの位置の上記第１次パターンにおける枡目の値を求める。これにより、元のデジタル情報が容易に得られる。
【００３４】
請求項５のデジタル情報解読装置は、請求項２のデジタル情報記録方法によって記録されたデジタル情報を読み取るのに適する。すなわち、第３及び第４のマークとして、第１及び第２のマークに対して色が異なるマークが採用されているので、フィルタ切替手段が、記録面と受光素子との間に第１のフィルタを配置することによって第３及び第４のマークと第１及び第２のマークとを区別することができ、位置情報パターンを識別することができる。一方、フィルタ切替手段が、記録面と受光素子との間に第２のフィルタを配置することによって第１及び第３のマークと第２及び第４のマークとを区別することができ、第１次パターンを読み取ることができる。
【００３５】
請求項６のデジタル情報解読装置は、請求項３のデジタル情報記録方法によって記録されたデジタル情報を読み取るのに適する。ただし、この場合、第３及び第４のマークは、第１又は第２のマークに対して、可視光領域では透明で、かつ赤外線若しくは紫外線によって励起されて可視光を発する性質を持つインク層を重ねて形成されているものとする。発光素子切替手段が第１の発光素子を動作させたとき、この第１の発光素子によって赤外光又は紫外光が記録面に照射され、第３及び第４のマークが可視光を発する。この可視光が受光素子によって検出される結果、第３及び第４のマークのみが検出される。一方、発光素子切替手段が第２の発光素子を動作させたとき、この第２の発光素子によって可視光が記録面に照射され、反射される。この反射された可視光が上記受光素子によって検出される結果、第１及び第３のマークと第２及び第４のマークとを区別することができる。よって、位置情報パターンと第１次パターンとを別々に読み取ることができる。
【００３６】
請求項７のデジタル情報解読装置において、請求項３のデジタル情報記録方法によって記録されたデジタル情報を読み取るのに適する。ただし、この場合、第３及び第４のマークは、第１又は第２のマークに対して、可視光領域では透明で、かつ赤外線若しくは紫外線を反射し、又は吸収する性質を持つインク層を重ねて形成されているものとする。発光素子切替手段が第１の発光素子を動作させたとき、この第１の発光素子によって赤外光又は紫外光が記録面に照射され、第３及び第４のマークによって反射又は吸収される。この赤外光又は紫外光の反射又は吸収が第１の受光素子によって検出される結果、第３及び第４のマークのみが検出される。一方、発光素子切替手段が第２の発光素子を動作させたとき、この第２の発光素子によって可視光が記録面に照射され、反射される。この反射された可視光が第２の受光素子によって検出される結果、第１及び第３のマークと第２及び第４のマークとを区別することができる。よって、位置情報パターンと第１次パターンとを別々に読み取ることができる。
【００３７】
なお、グレイ色調あるいは色スケールを用いて桝目の値を表し、情報密度を増加させるという技術自体は、特開平３−３８７９１号公報などによって既に知られている。
【００３８】
また、可視光領域では透明で、かつ赤外線又は紫外線と作用、すなわち赤外線若しくは紫外線を吸収し、反射し、又は赤外線若しくは紫外線によって励起されて蛍光を発するインク自体も公知のものである。
【００３９】
【実施例】
以下、この発明のデジタル情報記録方法およびデジタル情報解読装置を実施例により詳細に説明する。
【００４０】
この発明の一実施例のデジタル情報記録方法について説明する。
【００４１】
このデジタル情報記録方法では、図１（ａ）に示すように、記録面２０内に設けられた正方形の情報記録領域２３に、行列状に複数隙間なく並ぶ正方形の枡目を仮想的に設定する。この例では、情報記録領域２３は、簡単のため縦１１個×横１１個の枡目で構成されるものとしているが、さらに多くの枡目で構成されたものであっても良い。
【００４２】
図１（ａ）に示すように、記録すべきデジタル情報に対応して情報記録領域２３の各枡目に０又は１を割り当ててなる第１次パターン３０を設定する。なお、図１（ａ），（ｂ）では便宜上、値０をとる枡目を白、値１をとる枡目をハッチングで表している。
【００４３】
図１（ｂ）に示すように、上記記録面２０内での位置を示すための位置情報パターンとして特定パターン２２を設定する。この特定パターン２２は、値１が割り当ててられた１個の枡目からなる中心部４１と、その周囲を環状に取り囲む値０が割り当てられた８個の枡目からなる第１環状部４２と、さらにその周囲を環状に取り囲む値１が割り当てられ１６個の枡目からなる第２環状部４３とで構成されている。全体として５行×５列の合計２５個の枡目を含む正方形のブロックとなっている。この例では、特定パターン２２を情報記録領域２３の中央に配置する。
【００４４】
図１（ｃ）に示すように、第１次パターン３０の特定の位置に特定パターン２２を枡目単位で対応させて重ねる。この例では、特定パターン２２を図１（ｂ）で情報記録領域２３の中央に配置したことに対応して、第１次パターン３０の中央の位置に重ねる。そして、第１次パターン３０のうち特定パターン２２と重ならない位置の枡目に、第１次パターン３０のその位置の枡目がとる値に応じて第１のマークＭ１としての色Ｃ１、第２のマークＭ２としての色Ｃ２を付与する。また、第１次パターン３０のうち特定パターン２２の値０をとる枡目（第１環状部４２の枡目）と重なる位置の枡目にも、第１次パターン３０のその位置の枡目がとる値に応じて第１のマークＭ１としての色Ｃ１、第２のマークＭ２としての色Ｃ２を付与する。一方、第１次パターン３０のうち特定パターン２２の値１をとる枡目（中心部４１及び第２環状部４３の枡目）と重なる位置の枡目に、第１次パターン３０のその位置の枡目がとる値に応じて、第１及び第２のマークＣ１，Ｃ２と異なる第３のマークＭ３としての色Ｃ３又は第４のマークＭ４としての色Ｃ４を付与する。このようにして第２次パターン３１を作成する。
【００４５】
第１次パターン３０の枡目がとる値と、特定パターン２２の枡目がとる値とから、第２次パターン３１の枡目に付与されるマークを決定する仕方は、表１に示す通りである。
【表１】
0003623012.tif 000003
このようにして第１次パターン３０と特定パターン２２とから第２次パターン３１を作成し、この第２次パターン３１を情報記録領域２３に実際に表現する。特に、図７に示したように情報記録領域が大面積である場合には、特定パターン２２を所定の間隔で縦横に複数配置し、各特定パターン２２の位置で表１に示したルールに従って処理を行って第２次パターンを作成するのが好ましい。
【００４６】
このようにして記録を行った場合、本来記録すべきデジタル情報を、情報記録領域２３の全域にわたって記録することができる。したがって、記録し得る情報量が減少するのを防止でき、本出願人が先に提案した方式（特願平６−３２５２７５号）における読み取り時の不便さを解消することができる。すなわち、情報記録領域２３を単純な矩形状に設定し、例えば行単位で左から右、上の行から下の行へ順にマッピングを行って第１次パターン３０を設定することによって、読み取り時に情報記録領域２３の行ごとに同じ読取処理を行うことができる。また、行列を利用した誤り訂正方式やインターリーブ方式を容易に適用することができる。
【００４７】
また、第３及び第４のマークＭ３，Ｍ４として、第１及び第２のマークＣ１，Ｃ２に対して色が異なるマークＣ３，Ｃ４を採用しているので、読み取り時に、カラーフィルタを用いて第３及び第４のマークＣ３，Ｃ４と第１及び第２のマークＣ１，Ｃ２とを別々に検出することができる。そのようにした場合、第３及び第４のマークＣ３，Ｃ４を検出したとき、特定パターン２２の位置と、第１次パターン３０のうち第３及び第４のマークＣ３，Ｃ４の位置の枡目の値とを求めることができる。また、第１及び第２のマークＣ１，Ｃ２を検出したとき、特定パターン２２の位置を参照して第１次パターン３０のうち第１及び第２のマークＣ１，Ｃ２の位置の枡目の値を求めることができる。これにより元のデジタル情報を容易に得ることができる。また、重ねて印刷を行うによって第１乃至第４のマークを区別することができるならば、第１次パターンの印刷と位置情報パターンの印刷とを別々に行うことができる。すなわち、第１のマークは何らの印刷も行われていないことによって、第２のマークは第１次パターンの印刷のみが行われていることによって、第３のマークは位置情報パターンの印刷のみが行われていることによって、第４のマークは第１次パターンの印刷と位置情報パターンの印刷とが重ねて行われていることによって、それぞれ表現される。このように印刷を別々に行うことができることにより印刷の自由度が増す。
【００４８】
なお、図１（ｂ）の特定パターン２２の周囲の領域２３ｕに、本来記録すべき情報を割り当てても良い。この場合、表１に示したルールに従って、周囲の領域２３ｕの枡目に、第１乃至第４のマークＭ１，Ｍ２，Ｍ３，Ｍ４のいずれかを付与して第２次パターンを作成する。このようにした場合、むしろ情報記録領域２３に記録し得る情報量を増やすことができる。
【００４９】
図２（ｂ）に示すように、位置情報パターンとして値０と値１をとる枡目を交互に並べてなるクロッキングパターン５１，５２，５３，５４を採用しても良い。クロッキングパターン５１，５２はそれぞれ３列目、９列目に縦方向に配置され、クロッキングパターン５３，５４はそれぞれ３行目，９行目に横方向に配置されている。図２（ｃ）に示すように、図２（ａ）に示す第１次パターン３０（図１（ａ）と同じもの）と、クロッキングパターン５１，５２，５３，５４とを枡目単位で対応させて重ねる。そして、図１（ｃ）のものと同様に、第１次パターン３０のうちクロッキングパターン５１，５２，５３，５４と重ならない位置の枡目に、第１次パターン３０のその位置の枡目がとる値に応じて第１のマークＭ１としての色Ｃ１、第２のマークＭ２としての色Ｃ２を付与する。また、第１次パターン３０のうちクロッキングパターン５１，５２，５３，５４の値０をとる枡目と重なる位置の枡目にも、第１次パターン３０のその位置の枡目がとる値に応じて第１のマークＭ１としての色Ｃ１、第２のマークＭ２としての色Ｃ２を付与する。一方、第１次パターン３０のうちクロッキングパターン５１，５２，５３，５４の値１をとる枡目と重なる位置の枡目に、第１次パターン３０のその位置の枡目がとる値に応じて、第１及び第２のマークＣ１，Ｃ２と異なる第３のマークＭ３としての色Ｃ３又は第４のマークＭ４としての色Ｃ４を付与する。このようにして第２次パターン２３１を作成し、この第２次パターン２３１を情報記録領域２３に表現する。このようにして記録を行った場合も、図１の場合と同様の作用効果を奏することができる。
【００５０】
なお、図１，図２の例では、第１，第２，第３，第４のマークＭ１，Ｍ２，Ｍ３，Ｍ４はそれぞれ色が異なるものとしたが、これに限られるものではない。第１，第２，第３，第４のマークＭ１，Ｍ２，Ｍ３，Ｍ４は、同一色で互いに明暗レベルが異なるものとしても良い。
【００５１】
また、第３及び第４のマークＭ３，Ｍ４を、第１又は第２のマークＭ１，Ｍ２に対して、可視光領域では透明で、かつ赤外線又は紫外線と作用する性質を持つインク層を重ねたものとしても良い。このようにして記録を行った場合も、図１の場合と同様の作用効果を奏することができる。この場合は、読み取り時に、赤外線又は紫外線を用いて第３及び第４のマークＭ３，Ｍ４のみを検出する一方、可視光を用いて第１及び第３のマークＭ１，Ｍ３と、第２及び第４のマークＭ２，Ｍ４と区別することができる。位置情報パターンの位置を参照して第１次パターン３０のうち第１及び第３のマークＭ１，Ｍ３の位置の枡目の値として０を、第２及び第４のマークＭ２，Ｍ４の位置の枡目の値として１をそれぞれ得ることができる。また、重ねて印刷を行うによって第１乃至第４のマークを区別することができるならば、第１次パターンの印刷と位置情報パターンの印刷とを別々に行うことができる。すなわち、第１のマークは何らの印刷も行われていないことによって、第２のマークは第１次パターンの印刷のみが行われていることによって、第３のマークは位置情報パターンの印刷のみが行われていることによって、第４のマークは第１次パターンの印刷と位置情報パターンの印刷とが重ねて行われていることによって、それぞれ表現される。このように印刷を別々に行うことができることにより、印刷の自由度が増す。さらに、赤外線又は紫外線を発光、受光する機能を有しない読取手段を用いる場合であっても、可視光を用いて情報記録領域２３内の各枡目の位置決めさえ正確に行うことができるならば、可視光を用いて情報記録領域２３の全域にわたって第１及び第３のマークＭ１，Ｍ３と、第２及び第４のマークＭ２，Ｍ４と区別して値を得ることができ、元のデジタル情報を得ることができる。
【００５２】
図６はこの発明の一実施例のデジタル情報解読装置の概略構成を示している。この装置は、上述のようなデジタル情報記録方法によって記録面２０に記録されたデジタル情報を解読するものであって、読取手段としての読取装置９２と、情報解読手段としての、入力部９４、データ変換部９５、出力部９６およびデータ変換（解読）アルゴリズム９７を有する情報解読装置９１と、出力手段としての出力装置９３を備えている。
【００５３】
読取装置９２は、必要な読み取り精度に応じて、例えばイメージスキャナ、ＣＣＤ（チヤージ・カップルド・デバイス）カメラなどが採用され、記録面２０に表現された第２次パターンを光学的に読み取って、行列状のイメージビット（枡目の寸法よりも微細な寸法を持ち、０と１との２値をとり得る）からなるビットマップデータを作成する。
【００５４】
この例では、読取装置は、図１（ｃ）の第２次パターン３１を解読するように適合されている。すなわち、図３に９２Ａで示すように、記録担体の記録面２０へ向けて可視光を発する発光素子１０２と、記録面２０によって反射された可視光を検出する受光素子１０４と、同一面に設けられた第１及び第２のフィルタ１０５，１０６と、第１のフィルタ１０５と第２のフィルタ１０６を切り替えるフィルタ切替手段としてのフィルタ切替装置１０７を備えている。第１のフィルタ１０５は、第１及び第２のマークＭ１，Ｍ２の色Ｃ１，Ｃ２の光を透過させ、第３及び第４のマークＭ３，Ｍ４の色Ｃ３，Ｃ４の光を遮断する特性を持つ。一方、第２のフィルタ１０６は、第１及び第３のマークＭ１，Ｍ３の色Ｃ１，Ｃ３を透過させ、第２及び第４のマークＭ２，Ｍ４の色Ｃ２，Ｃ４の光を遮断する特性を持つ。
【００５５】
動作時には、フィルタ切替装置１０７が、まず、記録面２０と受光素子１０４との間に第１のフィルタ１０５を配置する。これによって、この読取装置は、第１及び第２のマークＭ１，Ｍ２を値０として、第３及び第４のマークＭ３，Ｍ４を値１として表す第１のビットマップデータを作成する。
【００５６】
情報解読装置９１の入力部９４は、第１のビットマップデータを入力情報として受けとり、データ変換部９５へ渡す。
【００５７】
データ変換部９５は、第１のビットマップデータから第３及び第４のマークＭ３，Ｍ４を検出する。そして、第３及び第４のマークＭ３，Ｍ４が予め定められた特定パターン２２の形状と合致するか否かを判定して、特定パターン２２を抽出する。
【００５８】
次に、フィルタ切替装置１０７がフィルタを回転させて切り替えて、記録面２０と受光素子１０４との間に第２のフィルタ１０６を配置する。これによって、この読取装置は、第１及び第３のマークＭ１，Ｍ３を値０として、第２及び第４のマークＭ２，Ｍ４を値１として表す第２のビットマップデータを作成する。
【００５９】
情報解読装置９１の入力部９４は、第２のビットマップデータを入力情報として受けとり、データ変換部９５へ渡す。
【００６０】
データ変換部９５は、第１のビットマップデータから求めた特定パターン２２の位置を参照して位置ずれを補正しながら、第１次パターン３０に記録された枡目の値を求める。さらに、データ変換部９５は、データ変換（解読）アルゴリズム９７に基づいて記録時のデータ変換（コード化）アルゴリズムと逆の変換を行って元のデジタル情報を得る。このようにして、上述のデジタル情報記録方法によって記録された情報を簡単かつ容易に解読することができる。
【００６１】
この後、データ変換部９５は、このようにして得たデジタル情報を出力情報として出力部９６へ渡す。出力部９６は、データ変換部９５から受け取った出力情報を出力装置９３へ出力する。出力装置９３は、例えばディスプレイ、データベースなどによって構成されており、受け取った情報を表示または格納する。
【００６２】
次に、第３及び第４のマークＭ３，Ｍ４を、第１又は第２のマークＭ１，Ｍ２に対して、可視光領域では透明で、かつ赤外線又は紫外線と作用する性質を持つインク層を重ねたものとして記録を行った場合に、そのような記録情報を読み取るのに適した読取装置９２Ｂ，９２Ｃ（図４，図５）について説明する。これらの読取装置９２Ｂ，９２Ｃは、それぞれ上記デジタル情報解読装置の読取装置９２として用いられる。
【００６３】
図４に示す読取装置９２Ｂは、第３及び第４のマークＭ３，Ｍ４が、第１又は第２のマークＭ１，Ｍ２に対して、可視光領域では透明で、かつ赤外線若しくは紫外線によって励起されて可視光を発する性質を持つインク層を重ねて形成されている場合に適する。
【００６４】
この読取装置９２Ｂは、記録担体の記録面２０へ向けて赤外光又は紫外光を発する第１の発光素子１０３と、記録面２０へ向けて可視光を発する第２の発光素子１０２と、記録面２０によって反射された可視光を検出する受光素子１０４と、第１の発光素子１０３と第２の発光素子１０２とを切り替えて動作させる発光素子切替手段としての図示しない電源回路を備えている。
【００６５】
この場合、上記電源回路が第１の発光素子１０３を動作させたとき、この第１の発光素子１０３によって赤外光又は紫外光が記録面２０に照射され、第３及び第４のマークＭ３，Ｍ４が可視光を発する。この可視光が受光素子１０４によって検出される結果、この読取装置は、第１及び第２のマークＭ１，Ｍ２を値０として、第３及び第４のマークＭ３，Ｍ４を値１として表す第１のビットマップデータを出力する。一方、上記電源回路が第２の発光素子１０２を動作させたとき、この第２の発光素子１０２によって可視光が記録面２０に照射され、反射される。この反射された可視光が上記受光素子１０４によって検出される結果、この読取装置は、第１及び第３のマークＭ１，Ｍ３を値０として、第２及び第４のマークＭ２，Ｍ４を値１として表す第２のビットマップデータを出力する。この読取装置が第１のビットマップデータ、第２のビットマップデータを出力した後の情報解読装置の動作は、既に説明した動作と同じである。
【００６６】
図５に示す読取装置９２Ｃは、第３及び第４のマークＭ３，Ｍ４が、第１又は第２のマークＭ１，Ｍ２に対して、可視光領域では透明で、かつ赤外線若しくは紫外線を反射し、又は吸収する性質を持つインク層を重ねて形成されている場合に適する。
【００６７】
この読取装置９２Ｃは、記録担体の記録面２０へ向けて赤外光又は紫外光を発する第１の発光素子１０３と、記録面２０へ向けて可視光を発する第２の発光素子１０２と、記録面２０によって反射された赤外光または紫外光を検出する第１の受光素子１０９と、記録面２０によって反射された可視光を検出する第２の受光素子１０４と、第１の発光素子１０３と第２の発光素子１０２とを切り替えて動作させる発光素子切替手段としての図示しない電源回路を備えている。
【００６８】
この場合、上記電源回路が第１の発光素子１０３を動作させたとき、この第１の発光素子１０３によって赤外光又は紫外光が記録面２０に照射され、第３及び第４のマークＭ３，Ｍ４によって反射又は吸収される。この赤外光又は紫外光の反射又は吸収が第１の受光素子１０９によって検出される結果、この読取装置は、第１及び第２のマークＭ１，Ｍ２を値０として、第３及び第４のマークＭ３，Ｍ４を値１として表す第１のビットマップデータを出力する。一方、上記電源回路が第２の発光素子１０２を動作させたとき、この第２の発光素子１０２によって可視光が記録面２０に照射され、反射される。この反射された可視光が第２の受光素子１０４によって検出される結果、この読取装置は、第１及び第３のマークＭ１，Ｍ３を値０として、第２及び第４のマークＭ２，Ｍ４を値１として表す第２のビットマップデータを出力する。この読取装置が第１のビットマップデータ、第２のビットマップデータを出力した後の情報解読装置の動作は、既に説明した動作と同じである。
【００６９】
【発明の効果】
以上より明らかなように、請求項１のデジタル情報記録方法によれば、本来記録すべきデジタル情報を、情報記録領域の全域にわたって記録することができ、記録し得る情報量が減少するのを防止することができる。また、本出願人が先に提案した方式（特願平６−３２５２７５号）における読み取り時の不便さを解消できる。すなわち、情報記録領域を単純な矩形状に設定し、例えば行単位で左から右、上の行から下の行へ順にマッピングを行って第１次パターンを設定することによって、読み取り時に情報記録領域の行ごとに同じ読取処理を行うことができる。また、行列を利用した誤り訂正方式やインターリーブ方式を容易に適用することができる。
【００７０】
請求項２のデジタル情報記録方法では、上記第３及び第４のマークとして、上記第１及び第２のマークに対して色が異なるマークを採用しているので、読み取り時に、カラーフィルタを用いて上記第３及び第４のマークと上記第１及び第２のマークとを別々に検出することができる。そのようにした場合、上記第３及び第４のマークを検出したとき、上記位置情報パターンの位置と、上記第１次パターンのうち上記第３及び第４のマークの位置の枡目の値とを求めることができる。また、上記第１及び第２のマークを検出したとき、上記位置情報パターンの位置を参照して上記第１次パターンのうち上記第１及び第２のマークの位置の枡目の値を求めることができる。これにより元のデジタル情報を容易に得ることができる。さらに、第１乃至第４のマークの色とカラーフィルタとを適切に選択することにより、２種類のカラーフィルタを用いて位置情報パターンと第１次パターンとを別々に読み出すことができる。また、重ねて印刷を行うによって、第１乃至第４のマークを区別することができるならば、第１次パターンの印刷と位置情報パターンの印刷とを別々に行うことができ、印刷の自由度を増すことができる。
【００７１】
請求項３のデジタル情報記録方法では、上記第３及び第４のマークを、上記第１又は第２のマークに対して、可視光領域では透明で、かつ赤外線又は紫外線と作用する性質を持つインク層を重ねて形成するので、読み取り時に、赤外線又は紫外線を用いて上記第３及び第４のマークと第１及び第２のマークとを区別する一方、可視光を用いて上記第１及び第３のマークと第２及び第４のマークとを区別することができる。そのようにした場合、赤外線または紫外線を用いて位置情報パターンを求め、可視光を用いて第１次パターンを読み取ることが可能となり、位置情報パターンと第１次パターンとを別々に読み出すことが可能となる。これにより元のデジタル情報を容易に得ることができる。また、重ねて印刷を行うによって、第１乃至第４のマークを区別することができるならば、第１次パターンの印刷と位置情報パターンの印刷とを別々に行うことができ、印刷の自由度が増す。さらに、赤外線又は紫外線を発光、受光する機能を有しない読取手段を用いる場合であっても、情報記録領域内の各枡目の位置決めさえ正確に行うことができるならば、可視光を用いて情報記録領域の全域にわたって上記第１及び第２のマークのみを検出することによって、元のデジタル情報を得ることができる。
【００７２】
請求項４のデジタル情報解読装置では、読取手段が、記録面に表現された第２次パターンを光学的に読み取って画像情報として出力し、情報解読手段が、上記読取手段が出力した画像情報から第３及び第４のマークを検出して、上記位置情報パターンの位置と、上記第３及び第４のマークの位置の上記第１次パターンにおける枡目の値とを求め、さらに上記位置情報パターンの位置を参照しつつ上記読取手段が出力した画像情報から上記第１及び第２のマークを検出して、上記第１及び第２のマークの位置の上記第１次パターンにおける枡目の値を求める。これにより、元のデジタル情報を容易に得ることができる。
【００７３】
請求項５のデジタル情報解読装置は、請求項２のデジタル情報記録方法によって記録されたデジタル情報を好適に読み取ることができる。すなわち、第３及び第４のマークとして、第１及び第２のマークに対して色が異なるマークが採用されているので、フィルタ切替手段が、記録面と受光素子との間に第１のフィルタを配置することによって第３及び第４のマークと第１及び第２のマークとを区別することができ、位置情報パターンを識別することができる。一方、フィルタ切替手段が、記録面と受光素子との間に第２のフィルタを配置することによって第１及び第３のマークと第２及び第４のマークとを区別することができ、第１次パターンを読み取ることができる。
【００７４】
請求項６のデジタル情報解読装置は、請求項３のデジタル情報記録方法によって記録されたデジタル情報を好適に読み取ることができる。ただし、この場合、第３及び第４のマークは、第１又は第２のマークに対して、可視光領域では透明で、かつ赤外線若しくは紫外線によって励起されて可視光を発する性質を持つインク層を重ねて形成されているものとする。発光素子切替手段が第１の発光素子を動作させたとき、この第１の発光素子によって赤外光又は紫外光が記録面に照射され、第３及び第４のマークが可視光を発する。この可視光が受光素子によって検出される結果、第３及び第４のマークのみが検出される。一方、発光素子切替手段が第２の発光素子を動作させたとき、この第２の発光素子によって可視光が記録面に照射され、反射される。この反射された可視光が上記受光素子によって検出される結果、第１及び第３のマークと第２及び第４のマークとを区別することができる。よって、位置情報パターンと第１次パターンとを別々に読み取ることができる。
【００７５】
請求項７のデジタル情報解読装置において、請求項３のデジタル情報記録方法によって記録されたデジタル情報を好適に読み取ることができる。ただし、この場合、第３及び第４のマークは、第１又は第２のマークに対して、可視光領域では透明で、かつ赤外線若しくは紫外線を反射し、又は吸収する性質を持つインク層を重ねて形成されているものとする。発光素子切替手段が第１の発光素子を動作させたとき、この第１の発光素子によって赤外光又は紫外光が記録面に照射され、第３及び第４のマークによって反射又は吸収される。この赤外光又は紫外光の反射又は吸収が第１の受光素子によって検出される結果、第３及び第４のマークのみが検出される。一方、発光素子切替手段が第２の発光素子を動作させたとき、この第２の発光素子によって可視光が記録面に照射され、反射される。この反射された可視光が第２の受光素子によって検出される結果、第１及び第３のマークと第２及び第４のマークとを区別することができる。よって、位置情報パターンと第１次パターンとを別々に読み取ることができる。
【図面の簡単な説明】
【図１】この発明の一実施例のデジタル情報記録方法を説明する図である。
【図２】上記デジタル情報記録方法の変形例を説明する図である。
【図３】この発明の一実施例のデジタル情報解読装置の読取手段の一例を示す図である。
【図４】上記読取手段の別の例を示す図である。
【図５】上記読取手段のさらに別の例を示す図である。
【図６】上記デジタル情報解読装置の全体構成を示す図である。
【図７】本出願人が先に提案したデジタル情報記録方法により記録面にデジタル情報を記録した例を示す図である。
【図８】図７の情報記録領域における特定パターンの配置を示す図である。
【図９】上記特定パターンを詳細に示す図である。
【図１０】上記情報記録領域内で上記特定パターンの近傍に同一のパターンが現れたときの様子を示す図である。
【図１１】本出願人が先に提案したデジタル情報記録方法において、情報記録領域内の特定パターン以外の枡目に、本来記録すべき情報をマッピングする仕方を説明する図である。
【図１２】四つの特定パターンの位置を参照して各枡目の位置を求める仕方を説明する図である。
【符号の説明】
２０  記録面
２２  特定パターン
２３  情報記録領域
３０  第１次パターン
３１，２３１  第２次パターン
５１，５２，５３，５４  クロッキングパターン
１０１  記録但体
１０２  発光素子又は第２の発光素子（可視光）
１０３  第１の発光素子（赤外光または紫外光）
１０４  受光素子又は第２の受光素子（可視光）
１０５  第１のフィルタ
１０６  第２のフィルタ
１０７  フィルタ切替装置
１０９  第１の受光素子（赤外光または紫外光）
【図１】
0003623012.tif 000004
【図２】
0003623012.tif 000005
【図３】
0003623012.tif 000006
【図４】
0003623012.tif 000007
【図５】
0003623012.tif 000008
【図６】
0003623012.tif 000009
【図７】
0003623012.tif 000010
【図８】
0003623012.tif 000011
【図９】
0003623012.tif 000012
【図１０】
0003623012.tif 000013
【図１１】
0003623012.tif 000014
【図１２】
0003623012.tif 000015